(57)【要約】      （修正有）【課題】打ち出した遊戯玉が当たり孔に入った際に、数倍の遊戯玉（懸賞玉）が排出されると言う、射幸心に富んだゲームを楽しむことが出来るようにしたスマートボール遊戯台を提供する。【解決手段】遊戯盤主体３のカバーガラス５の上方に、遊戯球の直径を超える間隔を保って保安用透明ガラス板６を張設するように構成したスマートボール遊戯台１。【選択図】図１
0003183809.tif 000002
【実用新案登録請求の範囲】
【請求項１】
遊戯盤主体のカバーガラスの上方に、遊戯球の直径を超える間隔を保って保安用透明ガラス板を張設するように構成したスマートボール遊戯台。
【請求項２】
遊戯盤主体のカバーガラスの上方に、遊戯球の直径を超える間隔を保って保安用透明ガラス板を張設し、当該保安用透明ガラスの上方に懸賞玉を導き入れるための導入口を開設すると共に、下縁所要箇所に打ち玉取出し用開口部を形成して成るスマートボール遊戯台。
【考案の詳細な説明】
【技術分野】
【０００１】
本考案は、打ち出した遊戯玉が当たり孔に入った際に、数倍の遊戯玉(懸賞玉)が排出されると言う、射幸心に富んだゲームを楽しむことが出来るようにしたスマートボール遊戯台の改良に関する。
【背景技術】
【０００２】
従来、スマートボール遊戯台における購入玉及び当たり玉(遊戯玉)の提供は、遊戯盤の後端縁部分に設けられている玉排出用部から、遊戯盤の遊戯面全体を覆うように張設したカバーガラスの上面に転動供給される。  そして、遊戯者は供給されている玉を摘み上げて打ち出し部にセットし、これを打ち出すことに依って遊戯を行うものである。  そして、このようなスマートボール遊戯台は、そのスピード性の無いゆっくりとした遊戯性から、現在はあまり利用されていないのが実情である。
【考案の概要】
【考案が解決しようとする課題】
【０００３】
考案者は、スマートボール遊戯台のゆっくりとした遊戯性が、高齢者の娯楽用具として優れており、高齢者のリハビリ治療、脳内活性化、所謂ボケ防止等の効果を期待し得る遊戯具として着目した。
【０００４】
然し乍、従来のスマートボール遊戯台は、当たり玉の供給がカバーガラス上に露出状態で転がされて提供され、また当たりが続いた場合は、当該カバーガラス上に大量に並べられるものであるため、ボケが進んだ高齢者が溜まった玉を飴菓子と間違えて口に入れてしまうような事態を招くことが予想される。  更に、供給された玉同士がぶつかって外に飛び出してしまい、高齢者がこれを踏んで転倒事故を招いてしまう恐れがある。
【０００５】
本考案は上述したような問題点の解消化を図ったことを特徴とするスマートボール遊戯台を提供するものである。
【課題を解決するための手段】
【０００６】
本考案は請求項１に記載のように、遊戯盤主体のカバーガラスの上面に、遊戯球の直径を超える間隔を保って保安用透明ガラス板を張設するように構成したスマートボール遊戯台に係る。
【０００７】
本考案は請求項２に記載のように、遊戯盤主体のカバーガラスの上面に、遊戯球の直径を超える間隔を保って保安用透明ガラス板を張設し、当該保安用透明ガラスの上方に懸賞玉を導き入れるための導入口を開設すると共に、下縁所要箇所に打ち玉取出し用開口部を形成して成るスマートボール遊戯台に係る。
【考案の効果】
【０００８】
本考案は請求項１に記載のような構成、すなわち、遊戯盤主体のカバーガラスの上面に、遊戯球の直径を超える間隔を保って保安用透明ガラス板を張設するように構成することに依り、供給される遊戯玉は全て保安用透明ガラス板によって覆われることとなる。  従って、当たり玉等の供給、並びに打出し部に対する玉のセットを、当該保安用透明ガラス板の内部で処理されるように構成することに依り、玉の誤食事故、外部脱落転動に基づき遊戯者がこれを踏み付けて転倒事故を招いてしまう、と言うような事態発生の皆無化が図られる。
【０００９】
本発明は請求項２に記載のような構成、すなわち、保安用透明ガラス板の上面に懸賞玉を導き入れるための導入口を開設すると共に、下縁所要箇所に打ち玉取出し用開口部を形成すると言うような構成を採ることに依って、既存のスマートボール遊戯台を用い、これの改良に基づき、すなわち手持ちのスマートボール遊戯台に対する保安用透明ガラスの後付的設置に基づき、本考案の実施が可能化される。  従って、本考案の実施が著しく廉価に達成される。
【図面の簡単な説明】
【００１０】
【図１】本考案に係るスマートボール遊戯台の一部切欠斜視図である。
【図２】同上一部切欠側面図である。
【図３】図２におけるX―X部分で切断した場合の説明用断面図である。
【図４】保安用透明ガラス板一つの実施例を表した平面図である。
【考案を実施するための形態】
【００１１】
図において、Aはスマートボール遊戯台であって、本考案は主として既存のスマートボール遊戯台に対して実施するものである。
【００１２】
１は懸賞玉供給用ガイド、２は玉の打ち出し部である。３は所要の案内釘等が配置された遊戯盤主体であって、作動用機械室４の上面に設けられている。  そして、当該遊戯盤主体３の上面はカバーガラス５に依って全面的に覆われている。
【００１３】
本考案は、上述したような形態を具えた既存のスマートボール遊戯台Aに対して実施する場合は、下記のように構成を付加するものである。
【００１４】
６は保安用透明ガラス板であって、遊戯盤主体３のカバーガラス５の上面全体に、遊戯球の直径を超える間隔Mを保って保安用透明ガラス板を並行させて張設する。
【００１５】
上記した保安用透明ガラス板６には、図４に示すように、懸賞玉供給用ガイド１の直下に開設した玉導入用開口部6aと、当該懸賞玉供給用ガイド１から供給され前端縁方向に転動して寄せられている玉を取り出すための取出し口6bを開設しておく。
【００１６】
上記のような構成を採ることに依り、懸賞玉供給用ガイド１から供給された玉は、玉導入用開口部6aを経て保安用透明ガラス板６内、すなわちカバーガラス５上に送られると共に、これを転動して遊戯盤主体３の前端縁寄りに転動集される。  これを例えば１個づつ取出し口6bから摘み出して玉の打ち出し部２にセットすることに依ってゲームが行われる。
【００１７】
上述したような保安用透明ガラス板６に対する玉導入用開口部6aと、取出し口6bの開設は、一般的にしてかつ既存のスマートボール遊戯台Aの改良的利用を図る場合である。
【００１８】
然し乍、本考案に適した形態のスマートボール遊戯台Aを新たに設定する場合は、懸賞玉の供給用機構と、玉の打ち出し部に対する玉セット機構を、カバーガラス５と保安用透明ガラス板６との間に位置させるように形成しておくことに依り、当該保安用透明ガラス板６は口を開けることなく一枚ガラス状のものでよく、また、このような形態の採用に基づき、遊戯者は玉に触れることがないため、安全性と共に衛生上の完璧化が図られる。
【００１９】
結局、本考案の骨子的構成は、遊戯盤主体のカバーガラス５の上方に、遊戯球の直径を超える間隔を保って保安用透明ガラス板６を張設するように構成したことにある。
【符号の説明】
【００２０】
A  スマートボール遊戯台
１  懸賞玉供給用ガイド
２  玉の打ち出し部
３  遊戯盤主体
４  作動用機械室
５  カバーガラス
６  保安用透明ガラス板
6a  玉導入用開口部
6b  取出し口
M  間隔
【図１】
0003183809.tif 000003
【図２】
0003183809.tif 000004
【図３】
0003183809.tif 000005
【図４】
0003183809.tif 000006